(57)【要約】      （修正有）【課題】集塵塔などに於けるバグフィルターの交換作業を手持ち式で簡便な装置の使用により、効率良く迅速に実施可能とする方法を提供する。【解決手段】内部中央の水平方向に電動モータで駆動される巻取軸を備え、その巻取軸前方側に開閉扉を形成すると共に、底面側を開放するものとなした横巾寸法３０ｃｍ〜４０ｃｍ、奥行寸法３５ｃｍ〜４５ｃｍ、高さ寸法４０ｃｍ〜５０ｃｍとなした箱体を作成し、且つ箱体内には除塵用吸引口を備えたものとする。このさい、巻取軸の側方にバグフィルター口の止め金具を取付けたものとなしたり、箱体前面側の開閉扉は透明な合成樹脂製になしたりする。【選択図】図１
0003108992.tif 000002
【実用新案登録請求の範囲】
【請求項１】
内部中央の水平方向に電動モータで駆動される巻取軸を備え、その巻取軸前方側に開閉扉を形成すると共に、底面側を開放するものとなした横巾寸法３０ｃｍ〜４０ｃｍ、奥行寸法３５ｃｍ〜４５ｃｍ、高さ寸法４０ｃｍ〜５０ｃｍとなした箱体を作成し、且つ箱体内には除塵用吸引口を備えたものとなしたことを特徴とするバグフィルターの交換取出し装置。
【請求項２】
巻取軸の側方にバグフィルター口の止め金具を取付けたものとなしたことを特徴とする請求項１記載のバグフィルターの交換取出し装置。
【請求項３】
少なくとも箱体前面側の開閉扉を透明な合成樹脂製となし、且つ箱体上面部に手持ち用把手を備えたものとなしたことを特徴とする請求項１又は２記載のバグフィルターの交換取出し装置。
【考案の詳細な説明】
【技術分野】
【０００１】
本考案はバグフィルターの交換取出し装置に関する。
【背景技術】
【０００２】
工場や焼却場などの排気や燃焼ガスは環境汚染防止上、図５に示す如く集塵塔１’内へ流入管２’から導き、塔内のバグフィルター３’で除塵して、上部吸引室４’へ集め、該室４から流出管５’を経て外部へ導かれるものとなっている。
ところで、集塵塔１’内のバグフィルター３’は経時的に目詰まりを生じ、除塵効率が低下するのであり、従って適当時期に新しいものと交換する必要が生ずるが、従来では図６に示す通り交換するバグフィルター３’は上部室４’から塔内へ落下させ、掃除口（マンホール）Ｐから外方へ引き出さしめて取除くようにするのであり、これらは全て手作業で行われている。
上記の交換作業は使用するバグフィルター３’の容積が大きければ大きいほど重労働であり、またバグフィルター内の媒や塵埃の残留粉塵などのために環境汚染の問題がある。
本考案者は上記問題点を解決するべく先に下記の特許出願を行い、特許登録された。
【特許文献１】特許第３３８５４７０号
【考案の開示】
【考案が解決しようとする課題】
【０００３】
上記の特許第３３８５４７０号は集塵塔内のバグフィルターを地上（床面上）で交換せんとするものであるが、集塵塔上部で取外したバグフィルターを地上まで誘導させるための設備が別途必要となる問題がある。
【課題を解決するための手段】
【０００４】
本考案は上記の問題を解決せんとするものであって、即ち集塵塔の上面箇所（吸塵室）で直接的に取換えんとするのであり、その装置の特徴とするところは内部中央の水平方向に電動モータで駆動される巻取軸を備え、その巻取軸前方側に開閉扉を形成すると共に、底面側を開放するものとなした横巾寸法は３０ｃｍ〜４０ｃｍ、奥行寸法は３５ｃｍ〜４５ｃｍ、高さ寸法は４０ｃｍ〜５０ｃｍとなした箱体を作成し、且つ該箱体内には除塵用吸引口を備えたものとなさしめる。このさい、巻取軸の側方にはバグフィルター口の止め金具を取付けたものとなしたり、また少なくとも箱体前面側の開閉扉を透明な合成樹脂製となしたり、また手持ちに便なるよう箱体上面部に手持ち用把手を備えたものとなしてある。
【考案の効果】
【０００５】
本考案装置は重量が６ｋｇ〜９ｋｇ程度のものであり、集塵設備の吸塵塔上部へ手持ち持参し、そのバグフィルター固定孔上へ適宜設置することにより、簡便且つ迅速にバグフィルターの交換脱着作業を可能ならしめることのできるものとなる。
即ち、フィルター固定孔から使用済みバグフィルターをロール状に巻き取るのであり、その巻き取り中にろ布に付着している煤や埃りなどは、吸引機の使用で箱体内の除塵用吸引口を介して外方へ飛散させることなく衛生的に取出すことのできるものとなる。
【考案を実施するための最良の形態】
【０００６】
図１は本考案装置の斜視図であって、１は装置全体の箱体であり、背面部１ａを除き（背面部は金属板）透明な合成樹脂製となされ、その大きさは横巾寸法Ｘを凡そ３０ｃｍ〜４０ｃｍ、奥行寸法Ｙを凡そ３５ｃｍ〜４５ｃｍ、高さ寸法Ｚを凡そ４０ｃｍ〜５０ｃｍとなされる。
而して、該箱体は図面に見られる通り底面部は開放された状態となされ、且つ該箱体内部には中央の水平方向に巻取軸２が取付けたものとなされる。該巻取軸２は箱体背面部１ａに取付けた電動モータ３（１００ｖ０．１ｋｗ、或いは２００ｖ０．２ｋｗなど）により回動されるものとなされるのであり、４は操作釦などを含む制御ボックスである。
【０００７】
５は上記巻取軸２に並列した一定間隔下に取付けてなるバグフィルター口の止め金具であり、これは箱体背面部側に固定されたものとなし、後述するバグフィルターの巻取りにさいしその先端口を巻取軸２との関係で単に両者間へ挟み込むようになすのである。而して、これによりバグフィルター口を巻取軸側へ固定させ、その巻取りが滑らないよう迅速且つ適確に行うことができるものとなる。なお６は箱体内部へ開口させた除塵用吸引口であって、該吸引口６は箱体の背面側で図示しない集塵機と同ホースを介して脱着自在になされるものとなっている。また、１ｂは箱体前面側の開閉用扉、７は手持ち用把手である。このさい、開閉用扉は箱体の前面側で脱着自在の構成となすことも良く、且つ透明な合成樹脂製とすることは箱体内部の状況を外部から容易に透視できる上で優れたものとなる。
【０００８】
図２は上記本考案装置１を使用して使用済みバグフィルター８を交換作業する全体図、図３はその巻取り作業を示す部分説明図であって、集塵塔上部の吸塵室を開放すると共に該天井部のバグフィルター取付箇所上方へ本考案装置１を配置させ、その前面扉１ｂを開放させた状態でバグフィルター口８ａを上方へ５０ｃｍ程度引上げ、その開放口８ａを巻取軸２とこれに並設した止め金具５間で挟時させるようになし、終わると開閉扉１ｂを閉じると共に制御ボックス４の操作釦を押して電動モータ３を駆動させるのである。このさい、上記電動モータ３の駆動と共に集塵機が作動され、箱体１内で巻取中に生ずる塵埃は別途集塵機側へ捕収されるものとなる。
【０００９】
上記巻取り終了時には前面扉１ｂを開放し、巻取軸２の外周に巻かれたバグフィルター８の全体を手前側へ引張り出すようにするだけで、渦巻き状の円筒に巻かれたバグフィルター８をコンパクトな形状にして取り出せるのであり、取扱い勝手の良いものとなる。而して、集塵機側の開口部には別途新しいバグフィルターを装着させるものとなすのである。
【００１０】
本考案装置の使用では以上の通り、バグフィルターの交換に際し、ろ布に付着している煤や埃などを飛散させず、迅速簡便且つ衛生的に行うことができる。これが従来の交換作業ではエアマスクなど防護具を着用して手作業で行っており、作業性能の向上に寄与すること大ならしめるものである。
【図面の簡単な説明】
【００１１】
【図１】本考案装置に斜視図である。
【図２】本考案装置の使用状態図である。
【図３】上記に於けるバグフィルター巻取り作業の部分図である。
【図４】巻取られた状態の説明図である。
【図５】集塵装置の破断説明図である。
【図６】従来に於けるバグフィルターの交換取出し説明図である。
【符号の説明】
【００１２】
１      箱体
２      巻取軸
３      電動モータ
４      操作盤
５      止め金具
６      吸引口
７      把手
８      バグフィルター
【図１】
0003108992.tif 000003
【図２】
0003108992.tif 000004
【図３】
0003108992.tif 000005
【図４】
0003108992.tif 000006
【図５】
0003108992.tif 000007
【図６】
0003108992.tif 000008